(57)【要約】      （修正有）【課題】設置費用及びメンテナンス費用等を大幅に削減するとともに、高い集光効率を達成可能で、総コストを抑制することができるディッシュ型太陽光集光装置及びそれを用いた太陽熱発電装置を提供する。【解決手段】放物面形状を有するディッシュ型の反射鏡と、反射鏡の解放面側に設けられた透明カバー２０とを備える。また放物曲面を構成するディッシュ型反射鏡台と、前記反射鏡台の解放面側に貼付けられた金属板と、を備える。【選択図】図５
2013117339.tif 000002
【特許請求の範囲】
【請求項１】
太陽光を集光するためのディッシュ型太陽光集光装置であって、
放物面形状を有するディッシュ型の反射鏡と、
前記反射鏡の解放面側に設けられた透明カバーと、
を備えることを特徴とするディッシュ型太陽光集光装置。
【請求項２】
前記反射鏡が、
放物曲面を構成するディッシュ型反射鏡台と、
前記反射鏡台の解放面側に貼付けられた金属板と、
を備えることを特徴とする請求項１に記載のディッシュ型太陽光集光装置。
【請求項３】
前記反射鏡が、
放物曲面を構成するディッシュ型反射鏡台と、
前記反射鏡台の解放面側に貼付けられた複数の金属薄板と、
を備えることを特徴とする請求項１に記載のディッシュ型太陽光集光装置。
【請求項４】
前記複数の金属薄板間に、所定の隙間を設けたことを特徴とする請求項３に記載のディッシュ型太陽光集光装置。
【請求項５】
前記反射鏡の一方の側方に設置された透明カバー巻と、
前記反射鏡の他方の側方に設置された透明カバー巻き取り装置と、をさらに備えることを特徴とする請求項１から４のいずれかに記載のディッシュ型太陽光集光装置。
【請求項６】
前記透明カバー巻が、前記反射鏡の上方側に設置され、
前記透明カバー巻き取り装置が、前記反射鏡の下方側に設置されることを特徴とする請求項５に記載のディッシュ型太陽光集光装置。
【請求項７】
前記反射鏡の解放面側を四角形状としたことを特徴とする請求項１から６のいずれかに記載のディッシュ型太陽光集光装置。
【請求項８】
前記反射鏡を保護箱に収めたことを特徴とする請求項１から７のいずれかに記載のディッシュ型太陽光集光装置。
【請求項９】
前記保護箱と前記反射鏡との間に生じる隙間を覆うような蓋を備えていることを特徴とする請求項８に記載のディッシュ型太陽光集光装置。
【請求項１０】
前記反射鏡の前後左右の四方に、断面が略三角形状の風防が設けられていることを特徴とする請求項１から９のいずれかに記載のディッシュ型太陽光集光装置。
【請求項１１】
請求項１から１０のいずれかに記載のディッシュ型太陽光集光装置と、
前記反射鏡の直径方向に設けられた太陽熱発電器用架台と、
前記太陽熱発電器用架台を直交する方向から引っ張って固定するための太陽熱発電器用架台支持部材と、
前記太陽熱発電器用架台と前記太陽熱発電器用架台支持部材とによって、前記反射鏡の焦点位置に設置された太陽熱発電器を備えることを特徴とする太陽熱発電装置。
【発明の詳細な説明】
【技術分野】
【０００１】
本発明は、放物面鏡を用いて太陽光を効率良く集光して、放物面鏡の焦点位置に設置された太陽熱発電器を効率良く加熱するためのディッシュ型太陽光集光装置及びそれを用いた太陽熱発電装置に関する。
【背景技術】
【０００２】
近年、世界的なエネルギー消費量増大に伴う二酸化炭素の空気中への放出量の増大などを抑止するため、二酸化炭素の放出を伴わない太陽エネルギーを利用した発電装置への期待が高まっている。
【０００３】
従来から、反射鏡を用いて太陽光を集めて熱媒体を加熱し、その熱を電気エネルギーに変えて利用可能にした装置は、日本国内はもとより、世界的にも多くの方式が提案され、世界各地に実証装置、実験装置などが設けられ、一部では商業的利用も開始されている。
【０００４】
太陽光を利用して電気エネルギーを得ようとする方式には、結晶シリコンやアモルファスシリコン、ＩｎＧａＡｓ（インジウムガリウムヒ化物）やＧａＡｓ（ヒ化ガリウム）などの無機化合物、有機色素や導電性ポリマーなどの有機化合物などからなる太陽電池（ソーラーパネル）に太陽光を照射して、太陽光エネルギーを直接、電気エネルギーに変換する太陽光発電方式と、太陽光を効率良く集めて、例えば、水、溶解塩、オイルなどの熱媒体を高温に加熱し、その熱エネルギーによって水蒸気を発生させ蒸気タービンを回して電気エネルギーを得る太陽熱発電方式がある。
【０００５】
太陽光発電方式では、太陽光を効率良く電気エネルギーに変換できる高性能な太陽電池（ソーラーパネル）が必要となり、水力発電や火力発電などの他の発電方式と比べて、設置面積あたりの発電量が少なく、発電コストも割高となっている。このため、太陽光発電方式の導入には、各種の公的助成を必要としているのが現状である。
【０００６】
また、太陽熱発電方式についても、従来から様々な検討が行われており、その集光方式として、平面もしくは曲面鏡を用いて太陽光を地上数十メートルの高さに設けられた集光部に集め、熱媒体を加熱する、いわゆるタワー方式、放物線の断面を有する雨樋型（トラフ型）の反射鏡を用いて、反射鏡の集光位置にレシーバーと呼ばれる管に流れる熱媒体を加熱するトラフ方式、放物面鏡を用いて放物面鏡の焦点位置に設置された、例えば、スターリングエンジンなどの太陽熱発電器を加熱するいわゆるディッシュ方式（スターリング方式とも呼ぶ）がある。
【０００７】
図６に示すようなディッシュ型の太陽熱発電装置１００では、厚さ数ミリメートルの高光透過性ガラス板を所定の放物面に曲げ加工し、ガラス板の裏面に太陽光反射膜を成膜した反射鏡１１０を大型架台１３０に取り付けて用いられている。
【０００８】
反射鏡１１０の焦点位置には、例えば、スターリングエンジンなどを用いて発電する太陽熱発電器１２０が設置されている。スターリングエンジンを用いた太陽熱発電器１２０は、高温部１２２と低温部１２４とから構成され、高温部１２２を反射鏡１１０によって集光された太陽光によって加熱することによって、スターリングエンジンのフライホイールを回転させ、発電することができる。
【発明の概要】
【発明が解決しようとする課題】
【０００９】
しかしながら、反射鏡１１０を放物面に加工するにはコストがかかり、設置コストの増大に繋がっていた。
また、集光効率を高めるためには、集光装置の大型化が好ましいが、集光装置は常に太陽光を最適位置で集光するために、常に太陽を追尾して最適位置を保つ必要がある。このため、集光装置を大型化する程に、装置全体の制御が困難になり、かつ、集光装置の変形による集光効率の悪化やメンテナンスの困難さなどが増すことになってしまう。
【００１０】
しかしながら、集光装置の大半を占めるガラス反射鏡を軽量化するためには、ガラス板の厚さを薄くする必要がある。このように、ガラス板の厚さを薄くすると、製造、移動、設置、及び運転中において、ガラス反射鏡が破損する可能性が高まり、運用コストの増大を招くため、軽量化にも限界がある。
【００１１】
このため、従来からガラス反射鏡の代わりに金属鏡を使用する試みもあったが、金属鏡は表面反射を利用することになるため、金属鏡の表面が汚れた場合などに洗浄して清浄化しようとすると、表面反射能が劣化してしまうことがあり、長期間の使用ができなかった。
【００１２】
さらには、従来のディッシュ型集光装置では、運転中にホコリなどが反射鏡表面に付着したり、結露、降雨、積雪などによってホコリを含んだ水分が付着してシミが発生したりして、次第に反射効率を劣化させていたため、定期的な洗浄が必要となり、運用コストの増大を招いていた。
【００１３】
本発明は、このような現状に鑑み、設置費用及びメンテナンス費用等を大幅に削減するとともに、高い集光効率を達成可能で、総コストを抑制することができるディッシュ型太陽光集光装置及びそれを用いた太陽熱発電装置を提供することを目的とする。
【課題を解決するための手段】
【００１４】
本発明は、前述したような従来技術における課題及び目的を達成するために発明されたものであって、本発明のディッシュ型太陽光集光装置は、放物面形状を有するディッシュ型の反射鏡と、
前記反射鏡の解放面側に設けられた透明カバーと、
を備えることを特徴とする。
【００１５】
このように、反射鏡の解放面側に透明カバーを設けることによって、反射鏡表面にホコリなどが付着することを防止することができ、定期的な洗浄が不要となり、運用コストを削減することができる。
【００１６】
また、本発明のディッシュ型太陽光集光装置は、前記反射鏡が、
放物曲面を構成するディッシュ型反射鏡台と、
前記反射鏡台の解放面側に貼付けられた金属板と、
を備えることを特徴とする。
【００１７】
このように構成することによって、従来のガラス板を用いた反射鏡と比べて大幅にコストを削減することができるとともに、太陽光集光装置として十分な集光効率を得ることができる。
【００１８】
また、ガラス板を用いていないため、反射鏡の破損の可能性が低下し、また、反射鏡自体の重量が軽量化されているため、太陽光集光装置の運用コストの削減を図ることができる。
【００１９】
また、本発明のディッシュ型太陽光集光装置は、前記反射鏡が、
放物曲面を構成するディッシュ型反射鏡台と、
前記反射鏡台の解放面側に貼付けられた複数の金属薄板と、
を備えることを特徴とする。
【００２０】
この場合、前記複数の金属薄板間に、所定の隙間を設けることが好ましい。
このように複数の金属薄板を用いることによって、加工コストが過大な放物面鏡を用いなくともよいので、設置コストの削減を図ることができる。
【００２１】
また、本発明のディッシュ型太陽光集光装置は、前記反射鏡の一方の側方に設置された透明カバー巻と、
前記反射鏡の他方の側方に設置された透明カバー巻き取り装置と、をさらに備えることを特徴とする。
【００２２】
この場合、前記透明カバー巻が、前記反射鏡の上方側に設置され、前記透明カバー巻き取り装置が、前記反射鏡の下方側に設置されることが好ましい。
このように、透明カバー巻として透明カバーを準備しておくことによって、反射鏡の解放面側に位置する透明カバーが汚れたり破損したりした場合にも、透明カバー巻き取り装置によって、透明カバーを所定量巻き取ることによって、反射鏡の解放面側を綺麗な状態の透明カバーによって覆うことができる。
【００２３】
このため、透明カバーが汚れた場合にも洗浄が不要であり、透明カバー巻き取り装置によって、透明カバーを所定量巻き取るだけで、綺麗な状態の透明カバーによって、常に反射鏡を覆うことができるため、集光効率の低下を防ぎ、運用コストの削減を図ることができる。
【００２４】
また、日本などの高緯度地域で使用する場合には、透明カバー巻を反射鏡の上方側、透明カバー巻き取り装置を反射鏡の下方側に設置することによって、透明カバーに撓みが生じにくくすることができる。
【００２５】
また、本発明のディッシュ型太陽光集光装置は、前記反射鏡の解放面側を四角形状とすることもできる。このように、反射鏡の解放面側を四角形状とすることによって、透明カバーを反射鏡の解放面側に被せる場合に、透明カバーに撓みなく被せることができる。
【００２６】
また、本発明のディッシュ型太陽光集光装置は、前記反射鏡を保護箱に収めたことを特徴とする。
この場合、前記保護箱と前記反射鏡との間に生じる隙間を覆うような蓋を備えることが好ましい。
【００２７】
このように、反射鏡全体を保護箱に収めることによって、例えば、強風などの悪天候であっても、反射鏡自体に影響が及ぶことを防ぐことができ、反射鏡が破損したりするのを防止することができる。さらに、反射鏡台の機械的強度を小さくすることができるため、太陽光集光装置全体の製造コストを大幅に削減することができる。
【００２８】
また、蓋によって、保護箱と反射鏡との間に生じる隙間を覆うことで、虫が入り込むことなどを防止し、保護箱と反射鏡との間の隙間の洗浄作業を不要とすることができる。
【００２９】
また、本発明のディッシュ型太陽光集光装置は、前記反射鏡の前後左右の四方に、断面が略三角形状の風防が設けられていることを特徴とする。
このように、反射鏡に風防を設けることによって、反射鏡が横から受ける風によって持ち上げられたり、変形してしまったりするのを防止することができる。
【００３０】
また、本発明の太陽熱発電装置は、前述するディッシュ型太陽光集光装置と、
前記反射鏡の直径方向に設けられた太陽熱発電器用架台と、
前記太陽熱発電器用架台を直交する方向から引っ張って固定するための太陽熱発電器用架台支持部材と、
前記太陽熱発電器用架台と前記太陽熱発電器用架台支持部材とによって、前記反射鏡の焦点位置に設置された太陽熱発電器を備えることを特徴とする。
【００３１】
このように太陽熱発電器を反射鏡の集光位置（反射鏡の焦点）に設置することによって、反射鏡が太陽熱発電器や設置器具等の影に入って、太陽光の照射量が減少することを最小限に抑え、集光効率の減少を抑えることができる。
【００３２】
また、上述するような太陽光集光装置を用いているため、設置費用やメンテナンス費用などを大幅に削減することができる。さらには、反射鏡の汚れに伴う集光効率の低下を防止しているため、太陽熱発電器の発電効率の低下も防止できることとなり、発電コストの削減も図ることができる。
【発明の効果】
【００３３】
本発明に係るディッシュ型太陽光集光装置によれば、従来の集光装置と比べて、装置の製造コストを大幅に削減することができる。さらに、集光装置全体の重量も、従来のガラス反射鏡を使用する集光装置と比べて、大幅に軽量化することができ、太陽を自動追尾して最適位置を保つためのシステムにかかる負担も大幅に低減することができる。
【００３４】
また、反射鏡の解放面に透光性カバーを設けたことによって、反射鏡の表面にホコリなどが付着することを防ぎ、反射効率の劣化も抑制できるので、定期的な洗浄などのメンテナンスの回数を低減することができ、メンテナンス費用も削減することができる。
【００３５】
さらに、反射鏡全体を保護箱に収めるように構成されているため、強風などの悪天候であっても、反射鏡自体に影響が及ぶことを防ぐことができ、反射鏡が破損したりするのを防止することができる。
【００３６】
また、このような本発明のディッシュ型太陽光集光装置を用いて太陽熱発電装置とすることによって、集光効率を向上させることができるため、発電効率が高く、発電コストを低減することができる。
【図面の簡単な説明】
【００３７】
【図１】図１は、本発明のディッシュ型太陽光集光装置の反射鏡の構造を説明するための概略構成図である。
【図２】図２は、反射鏡の別の実施例における構造を説明するための概略構成図である。
【図３】図３は、図１の反射鏡を用いたディッシュ型太陽光集光装置の構造を説明するための概略構成図である。
【図４】図４は、図３のディッシュ型太陽光集光装置を用いた太陽熱発電装置の概略構成図である。
【図５】図５は、図４の太陽熱発電装置にさらに風防を設けた状態を説明するための概略構成図である。
【図６】図６は、従来のディッシュ型太陽光集光装置を用いた太陽熱発電装置の概略構成図である。
【発明を実施するための形態】
【００３８】
以下、本発明の実施の形態（実施例）を図面に基づいてより詳細に説明する。
図１は、本発明のディッシュ型太陽光集光装置の反射鏡の構造を説明するための概略構成図、図２は、反射鏡の別の実施例における構造を説明するための概略構成図、図３は、図１の反射鏡を用いたディッシュ型太陽光集光装置の構造を説明するための概略構成図、図４は、図３のディッシュ型太陽光集光装置を用いた太陽熱発電装置の概略構成図、図５は、図４の太陽熱発電装置にさらに風防を設けた状態を説明するための概略構成図である。
【００３９】
図１から５に示すように、本発明のディッシュ型太陽光集光装置１０を用いた太陽熱発電装置１１は、太陽光を所定の集光位置に集光するための反射鏡１２と、反射鏡１２を支持するための基台１４と、例えば、スターリングエンジンなどからなる太陽熱発電器１６と、集光装置１０の反射鏡１２に太陽光が略垂直に入射するように反射鏡１２の角度を最適位置に保つための太陽追尾機構１８と、反射鏡１２の解放面側１２ａを覆う透明カバー２０が巻き付けられ、反射鏡１２の一方の側方に設置された透明カバー巻２２と、反射鏡１２の他方の側方に設置された透明カバー巻き取り装置２４とを備えている。
【００４０】
反射鏡１２は、図１から３に示すように、放物曲面を構成するディッシュ型反射鏡台２６を備え、反射鏡台２６の解放面側には、薄い金属板２８が貼付けられている。なお、反射鏡台２６の材料は、所定の強度が確保されていれば、特に限定されるものではなく、木製であってもいいし、金属製であっても構わない。
【００４１】
なお、反射鏡台２６に貼付けられる金属板２８は、例えば、プレス加工などによって、放物面形状に加工して、ビスなどの取り付け治具によって、反射鏡台２６に取り付けることが好ましい。
【００４２】
また、図２（ａ）に示すように、反射鏡台２６の解放面側全体に金属板２８の代わりに、複数の金属薄板２９を貼付けることによって構成しても構わない。なお、複数の金属薄板２９を貼付ける場合には、金属薄板２９間に所定の隙間を設けることが好ましい。このように、金属薄板２９間に隙間を設けることによって、高温下において金属薄板２９が膨張した場合にも、金属薄板２９同士が接触、変形してしまうのを防止することができる。
【００４３】
なお、金属薄膜２９を反射鏡台２６に貼付ける際には、反射鏡台２６の円周方向の取り付け治具の数を増やすことによって、金属薄膜２９を放物面形状に近い状態で貼付けることができる。
【００４４】
また、金属板２８や金属薄板２９を反射鏡台２６に取り付けるためのビスなどの取り付け治具と、金属板２８及び金属薄板２９との間に所定の間隔を設けることが好ましい。すなわち、金属板２８及び金属薄板２９に設けられた取付用孔の大きさを、ビスなどの取り付け治具の直径よりも大きくしておくことによって、取り付け治具と金属板２８及び金属薄板２９との間に隙間を設けることによって、高温下において金属板２８及び金属薄板２９が膨張した場合にも、取り付け治具と金属板２８及び金属薄板２９との接触による金属板２８及び金属薄板２９の変形を防止することができる。
【００４５】
また、図２（ｂ）に示すように、反射鏡１２の解放面側を四角形状とすることもできる。このように、解放面側を四角形状にすることによって、後述するように、透明カバーを反射鏡１２の解放面側に被せる場合に、透明カバーに撓みなく被せることができる。
【００４６】
また、金属板２８の材料としては、太陽光を効率良く反射できる金属であれば、特に限定されるものではないが、例えば、銀、アルミニウム、ロジウムなどの金属や、これらの金属を含む合金などを用いることができる。なお、製造コストを削減するためには、アルミニウムを用いることが好ましい。
【００４７】
また、金属板２８の表面２８ａ（太陽光の反射面）は、高反射性能を発現できるように、例えば、化学研磨、電解研磨などの研磨処理や真空蒸着などの表面処理を施すことが好ましい。
また、反射鏡１２によって集光された太陽光（太陽熱）を用いて発電を行う太陽熱発電器１６としては、特に限定されるものではないが、例えば、低温部１６ａと高温部１６ｂとを有するスターリングエンジンを用いることができる。
【００４８】
高温部１６ｂを太陽熱によって加熱することによって、スターリングエンジンのフライホイールを回転させ、発電することができる。なお、低温部１６ａには、太陽光が照射されないようにすることによって、温度が上がらないようにしてもよいし、例えば、空冷装置や水冷装置などの冷却装置を備えることによって、低温部１６ａの温度を下げるようにしてもよい。
【００４９】
なお、太陽熱発電器１６は、反射鏡１２の直径方向に設けられた太陽熱発電器用架台３２と、この太陽熱発電器用架台３２を直交する方向から引っ張って固定するための太陽熱発電器用架台支持部材３４とによって、反射鏡１２の焦点位置に設置されている。
【００５０】
また、太陽熱発電器用架台３２を極軸に合わせて設けることによって、後述する太陽追尾機構１８によって反射鏡１２の角度が変化した場合であっても、太陽熱発電器１６の位置を大きく移動させる必要がなくなり、太陽追尾機構１８の負荷が減少する。
【００５１】
また、図４に示すように、本発明のディッシュ型太陽光集光装置１０を用いた太陽熱発電装置１１を使用する際には、透明カバー巻２２から透明カバー２０を引き出し、反射鏡１２の解放面側１２ａを覆うように被せた状態で、透明カバー２０の端部を透明カバー巻き取り装置２４に取り付ける。
【００５２】
なお、透明カバー巻２２は反射鏡１２の上方側、透明カバー巻き取り装置２４は反射鏡１２の下方側に設置することによって、スムースに透明カバー２０の巻き取りを行うことができる。
【００５３】
本実施例では、このように透明カバー巻２２から透明カバー２０を引き出せるように構成することによって、透明カバー２０が汚れたり破損したりした場合に、透明カバー巻き取り装置２４によって透明カバー２０を所定量巻き取ることによって、反射鏡１２の解放面側１２ａを綺麗な状態の透明カバー２０によって覆うことができる。
【００５４】
なお、透明カバー巻２２及び透明カバー巻き取り装置２４を備えずに、反射鏡１２の解放面側１２ａに透明カバー２０を貼付けて覆うようにしても構わない。
また、透明カバー２０としては、透光性を有するものであれば特に限定されるものではないが、例えば、アイオノマー（ＩＯ）フィルム、ポリエチレン（ＰＥ）フィルム、ポリエチレンテレフタレート（ＰＥＴ）フィルム、ポリ塩化ビニル（ＰＶＣ）フィルム、ポリ塩化ビニリデン（ＰＶＤＣ）フィルム、ポリビニルアルコール（ＰＶＡ）フィルム、ポリプロピレンフィルム（ＰＰ）フィルム、ポリカーボネート（ＰＣ）フィルム、エチレン酢酸ビニル共重合体（ＥＶＡ）フィルム、エチレン−ビニルアルコール共重合体（ＥＶＯＨ）フィルム、エチレン−メタクリル酸共重合体（ＥＭＡＡ）フィルムなどを用いることができる。
【００５５】
また、反射鏡１２は、保護箱３０に収めることができる。このように、反射鏡１２全体を保護箱３０に収めることによって、例えば、強風などの悪天候であっても、反射鏡自体に影響が及ぶことを防ぐことができ、反射鏡が破損したりするのを防止することができる。さらに、反射鏡台２６の機械的強度を小さくすることができるため、太陽光集光装置１０全体の製造コストを大幅に削減することができる。
【００５６】
なお、保護箱３０と反射鏡１２との間に生じる隙間は、蓋３１を設けることによって覆うことが好ましい。保護箱３０と反射鏡１２との間の隙間をそのままにしておくと、例えば、虫が入り込むなどするため、保護箱３０と反射鏡１２との間の隙間の洗浄作業が発生し、メンテナンス費用が増加してしまう。
【００５７】
さらに、図５に示すように、反射鏡１２の前後左右の四方には、断面が略三角形状の風防３６が設けることができる。なお、風防３６は、反射鏡１２の曲面の底部と上部との中間に頂点３６ａが位置するように設けることが好ましい。このように構成することによって、反射鏡１２が横から受ける風によって持ち上げられたり、変形してしまったりするのを防止することができる。
【００５８】
また、太陽追尾機構１８としては、例えば、プログラムによって太陽の軌道を解析し、それに応じて集光装置１０の角度を調整する機構や、ＣＣＤカメラなどの撮影装置によって太陽の位置を把握し、それに応じて集光装置１０の角度を調整する機構など、既存の太陽追尾機構を用いることができる。
【００５９】
以上、本発明の好ましい実施例を説明したが、本発明はこれに限定されることはなく、上記実施例では、太陽光集光装置１０を太陽熱発電装置１１に用いた場合のみを説明したが、例えば、給湯設備や暖房・冷房設備、プールの加温など本発明の目的を逸脱しない範囲で種々の変更が可能である。
【符号の説明】
【００６０】
１０      ディッシュ型太陽光集光装置
１１      太陽熱発電装置
１２      反射鏡
１２ａ    解放面側
１４      基台
１６      太陽熱発電器
１６ａ    低温部
１６ｂ    高温部
１８      太陽追尾機構
２０      透明カバー
２２      透明カバー巻
２４      透明カバー巻き取り装置
２６      ディッシュ型反射鏡台
２６ａ    解放面側
２８      金属板
２８ａ    表面
２９      金属薄板
３０      保護箱
３１      蓋
３２      太陽熱発電器用架台
３４      太陽熱発電器用架台支持部材
３６      風防
３６ａ    頂点
１００    太陽熱発電装置
１１０    反射鏡
１２０    太陽熱発電器
１２２    高温部
１２４    低温部
【図１】
2013117339.tif 000003
【図２】
2013117339.tif 000004
【図３】
2013117339.tif 000005
【図４】
2013117339.tif 000006
【図５】
2013117339.tif 000007
【図６】
2013117339.tif 000008